(57)【要約】【課題】加飾性を高めた計量キャップを提供する。【解決手段】本発明に係る計量キャップ３０は、容器本体１０の口部１３に装着され、容器本体１０に収容された内容物を計量する計量キャップ３０であって、容器本体１０に装着可能な筒状のキャップ本体部３１と、キャップ本体部３１の径方向内側に形成される注出筒３５と、注出筒３５の上端に連なる有頂筒状の計量容器部３２と、を備え、計量容器部３２の周壁３２ａは、内部に収容された内容液を視認可能なビジブル領域３２ｓと、ビジブル領域３２ｓよりも可視光の光透過率が低い低透過領域３２ｈとを有し、低透過領域３２ｈは、ビジブル領域３２ｓの材料と、１又は複数層の低透過材料とを含む多層構造を有することを特徴とする。【選択図】図１
2019100830.tif 000002
【特許請求の範囲】
【請求項１】
容器本体の口部に装着され、該容器本体に収容された内容物を計量する計量キャップであって、
前記容器本体に装着可能な筒状のキャップ本体部と、
該キャップ本体部の径方向内側に形成される注出筒と、
該注出筒の上端に連なる有頂筒状の計量容器部と、
を備え、
前記計量容器部の周壁は、内部に収容された内容液を視認可能なビジブル領域と、該ビジブル領域よりも可視光の光透過率が低い低透過領域とを有し、
該低透過領域は、前記ビジブル領域の材料と、１又は複数層の低透過材料とを含む多層構造を有することを特徴とする計量キャップ。
【請求項２】
前記計量容器部は、前記キャップ本体部及び前記注出筒とは別体で形成されている、請求項１に記載の計量キャップ。
【請求項３】
前記ビジブル領域と前記低透過領域とは、周方向位置によって区分されている、請求項１又は２に記載の計量キャップ。
【請求項４】
前記低透過領域は、前記低透過材料の厚みが所定の方向に向かって変化する、請求項１乃至３のいずれか一項に記載の計量キャップ。
【請求項５】
前記低透過領域は、複数の前記低透過材料を含み、該複数の低透過材料は、所定の方向に向かって一の低透過材料の厚みが減少すると共に他の低透過材料の厚みが増加する、請求項４に記載の計量キャップ。
【請求項６】
前記ビジブル領域と前記低透過領域とは、縦弾性係数が異なる、請求項１乃至５のいずれか一項に記載の計量キャップ。
【発明の詳細な説明】
【技術分野】
【０００１】
本発明は、容器本体に装着され、該容器本体に収容された内容物を計量する計量キャップに関する。
【背景技術】
【０００２】
従来から、洗濯用の液体洗剤や柔軟剤等の比較的粘度の高い内容液を収容する容器として、内容液の収容空間を備えた容器本体の口部を計量キャップで閉塞した構成の計量器付き容器が知られている（例えば特許文献１参照）。
【先行技術文献】
【特許文献】
【０００３】
【特許文献１】特開２００２−０１２２４２号公報
【発明の概要】
【発明が解決しようとする課題】
【０００４】
上述の計量器付き容器では、計量カップの周壁部に目盛を設けることにより、計量カップ内の内容物を正確に計量することが可能であるが、周壁部の目盛で計量を行うためには、計量カップ内の内容液の液面高さを知る必要がある。従って、計量カップに透明又は半透明の材料を用いる必要があるため、計量カップに加飾を施すには限界があった。
【０００５】
本発明は、このような問題点を解決することを課題とするものであり、加飾性を高めた計量キャップを提供することにある。
【課題を解決するための手段】
【０００６】
本発明の計量キャップは、
容器本体の口部に装着され、該容器本体に収容された内容物を計量する計量キャップであって、
前記容器本体に装着可能な筒状のキャップ本体部と、
該キャップ本体部の径方向内側に形成される注出筒と、
該注出筒の上端に連なる有頂筒状の計量容器部と、
を備え、
前記計量容器部の周壁は、内部に収容された内容液を視認可能なビジブル領域と、該ビジブル領域よりも可視光の光透過率が低い低透過領域とを有し、
該低透過領域は、前記ビジブル領域の材料と、１又は複数層の低透過材料とを含む多層構造を有することを特徴とする。
【０００７】
また、本発明の計量キャップは、上記構成において、前記計量容器部は、前記キャップ本体部及び前記注出筒とは別体で形成されていることが好ましい。
【０００８】
また、本発明の計量キャップは、上記構成において、前記ビジブル領域と前記低透過領域とは、周方向位置によって区分されていることが好ましい。
【０００９】
また、本発明の計量キャップは、上記構成において、前記低透過領域は、前記低透過材料の厚みが所定の方向に向かって変化することが好ましい。
【００１０】
また、本発明の計量キャップは、上記構成において、前記低透過領域は、複数の前記低透過材料を含み、該複数の低透過材料は、所定の方向に向かって一の低透過材料の厚みが減少すると共に他の低透過材料の厚みが増加することが好ましい。
【００１１】
また、本発明の計量キャップは、上記構成において、前記ビジブル領域と前記低透過領域とは、縦弾性係数が異なることが好ましい。
【発明の効果】
【００１２】
本発明によれば、加飾性を高めた計量キャップを提供することができる。
【図面の簡単な説明】
【００１３】
【図１】本発明の第１実施形態である計量キャップを含む計量容器の正面断面図である。
【図２】本発明の第１実施形態である計量キャップの、（ａ）正面図、（ｂ）左側面図である。
【図３】（ａ）は、図２（ｂ）のＡＡ断面による断面図であり、（ｂ）は、図２（ｂ）のＢＢ断面による断面図である。
【図４】本発明の第２実施形態である計量キャップの、（ａ）正面図、（ｂ）左側面図である。
【図５】図４（ｂ）のＣＣ断面による断面図である。
【発明を実施するための形態】
【００１４】
以下、図面を参照して本発明をより詳細に例示説明する。
【００１５】
図１に示す計量容器１は、例えば洗濯用の液体洗剤や柔軟剤等の比較的粘度の高い内容液を収容する用途に用いられるものであり、容器本体１０、ノズルキャップ２０、及び本発明の第１実施形態である計量キャップ３０を有している。なお、本明細書、特許請求の範囲、および図面では、図１に示すように計量キャップ３０がノズルキャップ２０を介して容器本体１０に取り付けられた状態を基準とし、計量キャップ３０が位置する側を上方（図１における上側）とし、容器本体１０が位置する側を下方（図１における下側）とする。また、径方向外側とは、図１において上下方向に延びる計量容器１の中心軸線を通り中心軸線に垂直な直線に沿って外側に向かう方向であり、径方向内側とは、当該直線に沿って中心軸線に向かう方向を指すものとする。なお、図１における中心軸線は、径方向外側、及び径方向内側の定義に用いており、本実施形態の計量容器１の各部材が、常にこの中心軸線周りに軸対称に形成されていることを意味するものではない。また、請求項１における「容器本体に装着可能な（筒状のキャップ本体部）」とは、容器本体１０に直接取り付ける場合と、ノズルキャップ２０のような中間部材を介して容器本体１０に取り付けられる場合の両方を含むものとする。
【００１６】
容器本体１０は、内側に収容空間Ｓを備える胴部１１と、該胴部１１の下端を閉塞する図示しない底部と、収容空間Ｓに連なる円筒状の口部１３とを備えたボトル形状に形成されており、その収容空間Ｓに内容液（図示せず）を収容することができる。この容器本体１０としては、例えばポリエチレン（ＰＥ）、ポリプロピレン（ＰＰ）、ポリスチレン（ＰＳ）等の合成樹脂製のものを用いることができる。なお、口部１３は円筒状に限らず、例えば楕円筒状や角筒状など筒状であれば他の形状に形成することもできる。
【００１７】
ノズルキャップ２０は、図１に示すように、容器本体１０の口部１３に装着される外周壁２３と外周壁２３から径方向内側に延びる天壁２６とを有する装着キャップ部２１と、装着キャップ部２１に連結されると共に径方向内側に配置され有底筒状形状を有する隔壁２７と、隔壁２７の底壁２７ｂに形成されたノズル孔２７ｃの縁部から上方に向けて樋状に突出するノズル２８とを備えている。本実施形態において、装着キャップ部２１、隔壁２７、及びノズル２８は、一体に形成されており、例えば合成樹脂製とすることができる。
【００１８】
より具体的に説明すると、装着キャップ部２１は口部１３よりも大径の円筒状の外周壁２３を備え、この外周壁２３の内周面に一体に設けられた雌ねじ２３ａが口部１３の外周面に一体に設けられた雄ねじ１３ａにねじ結合することで、装着キャップ部２１は口部１３に装着されている。外周壁２３の下端には複数の凹溝２３ｂが設けられ、口部１３の根元部分に設けられた係止リブ１３ｂが凹溝２３ｂに係合している。これにより、装着キャップ部２１は口部１３に対して装着状態に保持され、口部１３から容易に取り外されないようになっている。
【００１９】
図示する場合では、装着キャップ部２１は口部１３にねじ結合によって装着される構成となっているが、これに限らず、例えばアンダーカット等の他の手段により口部１３に装着される構成とすることもできる。この場合、口部１３の形状に合わせて、外周壁２３を例えば楕円筒状や角筒状などの他の形状に形成することもできる。
【００２０】
装着キャップ部２１は、上述のように外周壁２３の略中央高さにおいて連結する天壁２６を備えている。天壁２６の内周端からシール壁２６ａが上方に延びており、このシール壁２６ａが後述するキャップ本体部３１の装着筒３１ａの内周面に嵌合することで、キャップ本体部３１は、ノズルキャップ２０を液密にシールしている。また、シール壁２６ａの下方には、隔壁２７が形成されている。隔壁２７は、図１に示すように有底筒状形状を有しており、側壁２７ａと側壁２７ａの下端部を閉塞する底壁２７ｂとを有している。底壁２７ｂの径方向中央には、収容空間Ｓを外部と連通させ、収容空間Ｓ内の内容液を外部に注出するノズル孔２７ｃが設けられている。また、側壁２７ａの上端部が口部１３の内周面に嵌合することで、装着キャップ部２１は口部１３の上端開口を液密にシールしている。
【００２１】
本実施形態では、装着キャップ部２１の外周壁２３上端部における内周面には、雌ねじ部２５ａが設けられている。キャップ本体部３１の装着筒３１ａの雄ねじ部３１ｃが雌ねじ部２５ａとねじ係合することで、キャップ本体部３１は、ノズルキャップ２０に装着されている。
【００２２】
ノズル２８は側面に軸方向に沿って一端から他端にまで延びるスリット２８ａを備えた断面Ｃ字形状つまり樋状に形成されている。ノズル２８は、計量キャップ３０装着時において、注出筒３５の内周面に対して径方向に間隔を空けて配置されている。ノズル２８の先端部は、スリット２８ａが設けられる側が容器本体１０の収容空間Ｓに向けて下がるように口部１３の上端開口に対して斜めに傾斜する形状とされており、当該先端部は外周壁２３の上端よりも上方に向けて突出している。また、この傾斜部は、利用者が取り扱い易いようにＲ面処理されている。このような構成により、容器本体１０の収容空間Ｓに収容された内容液を、ノズル２８を通して所望の位置に容易に注出させることができる。
【００２３】
なお、ノズル２８の先端は、斜めに傾斜する形状に限らず、口部１３の上部開口に平行な形状や、側方から見て丸みを帯びるようにカットした形状とするなど、種々の形状とすることができる。
【００２４】
隔壁２７は、ノズル２８のスリット２８ａ側に向けて下方に傾斜する底壁２７ｂを有しており、その外周縁において天壁２６から垂下する側壁２７ａに連なっている。なお、内容液の注出後にノズル２８の外周面に沿って垂れ落ちる内容液は、傾斜する底壁２７ｂの最下部に集めてスリット２８ａを通して収容空間Ｓに戻すことができる。
【００２５】
本実施形態に係る計量キャップ３０は、キャップ本体部３１と計量容器部３２と注出筒３５とを備えている。図示する例では、キャップ本体部３１と注出筒３５は一体に形成されており、計量容器部３２は、別部品として構成されキャップ本体部３１に装着されている。計量容器部３２は、後述するように、少なくとも計量容器部３２の内部が視認可能となるように、少なくとも一部が透明ないし半透明の樹脂製とされている。
【００２６】
キャップ本体部３１は、合成樹脂材料により、少なくともその下端部が外周壁２３よりも小径の円筒状に形成された装着筒３１ａと、装着筒３１ａの径方向内側に連なる上壁３１ｅとを備えている。上壁３１ｅの内周端には、注出筒３５が一体に設けられ、上壁３１ｅから下方に垂下している。また、上壁３１ｅにおける注出筒３５の上方には、シール壁３１ｇが上方に延びており、シール壁３１ｇと装着筒３１ａとの間からは嵌合筒３１ｆが上方に延びている。後述する計量容器部３２の嵌合部３２ｄの内周面にシール壁３１ｇが当接し嵌合部３２ｄと嵌合筒３１ｆがアンダーカット係合することで、計量容器部３２は、キャップ本体部３１に対して容易に外れないように装着されている。
【００２７】
なお、装着筒３１ａの上端部には、係止リブ３１ｈが設けられており、後述する計量容器部３２の肩部３２ｃに形成された凹溝３２ｅに係合することで、計量容器部３２はキャップ本体部３１に対して回り止め状態で固定されている。
【００２８】
計量容器部３２は、嵌合部３２ｄの上端部から径方向外側へと延びる肩部３２ｃと、肩部３２ｃの外周端から更に上方へと延びる筒状の周壁３２ａと、周壁３２ａの上端部を閉塞する底壁３２ｂとを有している。計量容器部３２は、図１に示すように上方に向けて僅かに縮径する有頂筒状形状を有しており、周壁３２ａには、図１、図２（ａ），（ｂ）等に示すように、上下方向に複数配置され周方向に延びる凹リブ３３が形成されている。本実施形態において、凹リブ３３は目盛として機能し、利用者が収容空間Ｓ内の内容液をいずれかの凹リブ３３の高さ位置に合致する高さまで計量容器部３２に注ぎ入れることによって、内容液を正確に計量することができる。図１に示すように、凹リブ３３は、周壁３２ａの外周面が凹むと共に内周面が突出する構造を有しているために視認性が高く、利用者が容易に目盛の位置を認識することができる。本実施形態では、後述するように周壁３２ａを押出ブロー成形により形成しているので、図１に示すように周壁３２ａの肉厚よりも大きな深さを有する凹リブ３３でも容易に形成することができる。なお、図２（ｂ）に示すように、各凹リブ３３の近傍に、計量体積に対応する文字３４を印刷等の加飾によって設けてもよい。また、ブロー成形時に金型の内面に設けた微細な凹凸によって文字３４を形成してもよい。
【００２９】
計量容器部３２の周壁３２ａは、図２（ａ），（ｂ）及び図３（ａ），（ｂ）に示すように、内部に収容された内容液を視認可能なビジブル領域３２ｓと、ビジブル領域３２ｓよりも可視光の光透過率が低い低透過領域３２ｈとを有している。本実施形態では、ビジブル領域３２ｓは、透明樹脂層のみからなり可視光に対する高い光透過率を有している。ビジブル領域３２ｓに用いる材料としては、例えば低密度ポリエチレン（ＬＤＰＥ）又は高密度ポリエチレン樹脂（ＨＤＰＥ）等を用いることができる。低透過領域３２ｈは、図３（ａ）の例では、ビジブル領域３２ｓと同一の樹脂により構成される内層３２ｈ０と、最外層を構成する第１外層３２ｈ１と、第１外層３２ｈ１と内層３２ｈ０との間に形成される第２外層３２ｈ２とを有している。図示の例では、ビジブル領域３２ｓと低透過領域３２ｈとは、周方向位置によって区分されている。凹リブ３３が形成されていない間欠部３３ａの領域は概ねビジブル領域３２ｓで構成され、それ以外の領域は低透過領域３２ｈとされている。また、低透過領域３２ｈの第１外層３２ｈ１の外周面は、ビジブル領域３２ｓの外周面と揃うように構成されている。すなわち、ビジブル領域３２ｓと低透過領域３２ｈとは同一厚みを有するように構成されている。しかし、この態様には限定されず、両者の厚みが異なるように構成してもよい。
【００３０】
第１外層３２ｈ１、及び第２外層３２ｈ２は、図３（ｂ）に示すように、高さ位置によって両者の厚みの比率が異なるように構成されている。すなわち、周壁３２ａのうち底壁３２ｂに近い側（図３（ｂ）の下端部）では第１外層３２ｈ１の厚みが第２外層３２ｈ２の厚みよりも厚くなるように構成されている。そして、注出筒３５方向に向かって第１外層３２ｈ１の厚みが減少すると共に第２外層３２ｈ２の厚みが増加するように構成されている。また、第１外層３２ｈ１及び第２外層３２ｈ２はそれぞれ異なる色で着色されており、低透過領域３２ｈの可視光の光透過率をビジブル領域３２ｓの光透過率よりも低くするための低透過材料として構成されている。このように、周壁３２ａの低透過領域３２ｈは、上部と下部では第１外層３２ｈ１と第２外層３２ｈ２の厚みの比率が異なるため、異なる色として観測される。従って、計量容器部３２の周壁３２ａの色を上下方向に変化するグラデーションとすることができる。
【００３１】
なお、色彩が変化する方向は、上下方向に限定されるものではなく、例えば第１外層３２ｈ１と第２外層３２ｈ２の厚みが周方向位置に依存して変化するように構成することで、周壁３２ａの色を周方向に変化するグラデーションとすることができる。
【００３２】
また、本実施形態では、外層が第１外層３２ｈ１と第２外層３２ｈ２とを有し、両者の厚みが相補的に変化するように構成したが、この態様に限定されるものではなく、単層構成の外層が所定方向に向かって厚みが変化するように構成してもよい。また、外層（単層構造・多層構造を問わない）は、必ずしも厚みを変化させる必要はない。そして、外層の厚みを変化させない場合、低透過領域３２ｈの色彩は変化しない。
【００３３】
また、本実施形態では、低透過領域３２ｈにおける色の変化がグラデーションとなるように構成したが、この態様には限定されず、例えばマーブル状（大理石模様）に色が変化するように構成してもよい。
【００３４】
第１外層３２ｈ１、及び第２外層３２ｈ２に用いる材料としては、例えば低密度ポリエチレン（ＬＤＰＥ）又は高密度ポリエチレン樹脂（ＨＤＰＥ）等に着色剤を添加して可視光に対する光透過率を低減させた材料を用いることができる。
【００３５】
また、本実施形態では、ビジブル領域３２ｓを構成する材料として、透明樹脂層のみからなり可視光に対する高い光透過率を有する低密度ポリエチレン（ＬＤＰＥ）又は高密度ポリエチレン樹脂（ＨＤＰＥ）等を用いるように構成したが、この態様には限定されない。ビジブル領域３２ｓを構成する材料は、有色透明材料又は半透明材料等であっても計量容器部３２の内部に収容された内容液を視認可能であればよく、必ずしも可視光に対する高い光透過率を有する材料でなくてもよい。また、低透過領域３２ｈは、ビジブル領域３２ｓよりも可視光に対する光透過率を低く構成することによって、加飾性を高めることができればよい。なお、ここでいうビジブル領域３２ｓよりも可視光に対する光透過率が低いとは、実質的に内部が視認できない不透過状態を含むものとする。本実施形態で用いられる低透過材料（第１外層３２ｈ１及び第２外層３２ｈ２）は、低透過領域３２ｈの可視光に対する光透過率をビジブル領域３２ｓより低くできるものであればよく、必ずしも低透過材料の光透過率をビジブル領域３２ｓの樹脂材料よりも低くする必要はない。内容液の視認性の観点からは、ビジブル領域３２ｓの可視光に対する光透過率は高いほどよく、加飾性の観点からは、低透過領域３２ｈの可視光に対する光透過率は低い方が好ましい場合が多い。
【００３６】
注出筒３５は、上壁３１ｅの内周端から下方に向けて垂下する筒状形状を有している。注出筒３５には、図１に示すように、周方向の１箇所が更に下方へと延びることで注ぎ部３５ａが形成されている。すなわち、注ぎ部３５ａは注出筒３５の下端部を構成している。なお、注ぎ部３５ａは図１に示すような下方に突出する段差部を有する態様に限定されるものではなく、例えば、ノズル２８のように長さが緩やかに変化する形状も含み、多種多様な形状の注ぎ部を含む概念である。利用者が内容液の計量を終了した後、この注ぎ部３５ａが下側に位置するように計量キャップ３０を傾倒させると、計量容器部３２内の内容液をこの注ぎ部３５ａを通じて注出することができるので、より正確に目的の場所に注出することができる。
【００３７】
本実施形態では、図２（ａ），（ｂ）に示すように、注ぎ部３５ａが形成されている周方向位置において、凹リブ３３が形成されていない間欠部３３ａを設けている。これによって、上述のように注ぎ部３５ａが下側に位置するように計量キャップ３０を傾倒させて内容液を注出する際に、内容液が周壁３２ａの凹リブ３３部分をなるべく通過しないようにすることができるので、凹リブ３３の内周面側に内容液が残ったり、内容液の流れが凹リブ３３部分の凹凸で乱されることがない。また、前記文字３４は、間欠部３３ａに設けることが好ましい。
【００３８】
図１に示すように、計量キャップ３０のキャップ本体部３１が装着キャップ部２１に装着されると、ノズル２８が計量容器部３２により覆われ、ノズルキャップ２０が閉塞される。一方、キャップ本体部３１が装着キャップ部２１から取り外されると、ノズル２８が露出し、内容液を注出可能な状態となる。
【００３９】
図１に示すノズルキャップ２０に計量キャップ３０が装着された状態から、計量容器部３２を把持しながら周方向に回して装着筒３１ａと外周壁２３とのねじ結合を解除すると、ノズルキャップ２０に対して計量キャップ３０が上方に移動する。そして、ねじ係合が完全に解除された状態で計量キャップ３０を上方に引き抜くことで、隔壁２７の側壁２７ａとノズル２８との間に配置されていた注出筒３５を上方に移動させてノズルキャップ２０から取り外すことができる。
【００４０】
計量キャップ３０をノズルキャップ２０から取り外し、ノズル２８を露出させた状態で、容器本体１０をノズル２８の先端部が上方を向く正立姿勢からスリット２８ａが上方となる傾斜姿勢とすることにより、収容空間Ｓ内の内容液を、ノズル孔２７ｃを通じてノズル２８の先端部から外部に注出することができる。このとき、口部１３の内側に隔壁２７が設けられるとともにノズル２８が隔壁２７の内周縁から起立する構成とされているので、容器本体１０の収容空間Ｓの内容液は、樋状に形成されたノズル２８に沿って案内されて当該ノズル２８の先端から注出されることになる。利用者は、図２（ａ），（ｂ）に示す姿勢で置かれた計量キャップ３０に一旦注いで所定量だけ計量した後、上述のように注ぎ部３５ａから目的の場所に注出してもよいし、ノズル２８からの内容液を直接目的の場所に注出してもよい。
【００４１】
内容液を注出した後、容器本体１０を正立姿勢に戻したときに、ノズル２８の先端に付着した内容液がノズル２８の外周面に沿って垂れ落ちても、当該内容液は口部１３の外側に垂れ落ちることなく、ノズル２８に沿って下方に垂れ落ちて隔壁２７の上面で受けられ、ノズル２８のスリット２８ａの部分から容器本体１０の収容空間Ｓに戻されることになる。したがって、計量容器１によれば、ノズル２８から内容液を注出させつつ当該内容液の外部への液垂れを防止することができる。
【００４２】
ノズルキャップ２０から取り外された計量キャップ３０は、注出筒３５を下側とし、計量容器部３２を上側とした姿勢とし、注出筒３５を側壁２７ａとノズル２８との間の空間に挿入し、計量キャップ３０をノズルキャップ２０に再び装着することで、ノズル２８を閉塞させることができる。
【００４３】
次に、本実施形態による計量キャップ３０の製造方法について説明する。
【００４４】
本実施形態の計量キャップ３０を製造するに際しては、まず、透明樹脂により構成されビジブル領域３２ｓを構成する内層と、低透過領域３２ｈの光透過率をビジブル領域３２ｓの光透過率より低くするための外層とを備えるパリソンを生成する。本実施形態において、外層は、異なる色が着色された第１外層３２ｈ１及び第２外層３２ｈ２を有しており、徐々に第１外層３２ｈ１に対する第２外層３２ｈ２の厚みの割合が増加するようにブロー成形用金型に供給される。次に、ブロー成形用金型に供給された上述のパリソンを押出ブロー成形し、計量容器部３２を形成する。これによって、図３（ａ）に示すようなビジブル領域３２ｓ及び低透過領域３２ｈを有する計量容器部３２が形成される。また、ブロー成形用金型に供給されるパリソンの第１外層３２ｈ１に対する第２外層３２ｈ２の厚みの割合が徐々に増加するように制御されるので、周壁３２ａの低透過領域３２ｈにおける各層構成は、図３（ｂ）に示すように、底壁３２ｂから注出筒３５に向かって第１外層３２ｈ１に対する第２外層３２ｈ２の厚みの割合が徐々に増加するように形成される。これによって、周壁３２ａの低透過領域３２ｈの色がグラデーションとなるように構成することができる。
【００４５】
以上述べたように、本実施形態では、計量容器部３２の周壁３２ａが、内部に収容された内容液を視認可能なビジブル領域３２ｓと、ビジブル領域３２ｓよりも可視光の光透過率が低い低透過領域３２ｈとを有し、低透過領域３２ｈは、ビジブル領域３２ｓの材料と、１又は複数層の低透過材料とを含む多層構造を有するように構成した。これによって、ビジブル領域３２ｓを通して計量容器部３２内部の内容液を視認して計量することができるのに加えて、低透過領域３２ｈによる加飾性を確保することができる。
【００４６】
また、本実施形態では、計量容器部３２は、キャップ本体部３１及び注出筒３５とは別体で形成されるように構成した。これによって、ビジブル領域３２ｓと低透過領域３２ｈとを有する計量容器部３２を容易に押出ブロー成形で形成することができる。なお、計量容器部３２の成形方法は押出ブロー成形に限定されるものではなく、種々の他の成形方法を採用することができる。
【００４７】
また、本実施形態では、ビジブル領域３２ｓと低透過領域３２ｈとが、周方向位置によって区分されるように構成した。これによって、ビジブル領域３２ｓと低透過領域３２ｈとを有するパリソンを押出ブロー成形することによって、容易に計量容器部３２を形成することができる。
【００４８】
なお、低透過領域３２ｈは、ビジブル領域３２ｓの材料を含まない単層の樹脂層で構成してもよい。
【００４９】
また、本実施形態では、低透過領域３２ｈにおいて、低透過材料の厚みが所定の方向に向かって変化するように構成した。特に、低透過領域３２ｈが複数の低透過材料を含み、複数の低透過材料が、所定の方向に向かって一の低透過材料の厚みが減少すると共に他の低透過材料の厚みが増加するように構成することで、計量容器部３２の低透過領域３２ｈにおける色の変化がグラデーションとなるようにすることができる。
【００５０】
また、本実施形態では、計量容器部３２をパリソンの押出ブロー成形により形成するようにしたので、複雑な構造の金型等を使用することなく計量容器部３２を形成することができる。
【００５１】
また、本実施形態では、押出ブロー成形用のパリソンは、ビジブル領域３２ｓよりも可視光の光透過率が低い低透過領域３２ｈが、周方向に間欠的に形成されるように構成した。これによって、押出ブロー成形によって、ビジブル領域３２ｓと低透過領域３２ｈとが周方向位置で区分された計量容器部３２を比較的容易に形成することができる。
【００５２】
次に、本発明の第２実施形態である計量キャップ７０について、図面を参照して例示説明する。なお、ここでは、第１実施形態との差異点を中心に説明する
【００５３】
本実施形態に係る計量キャップ７０は、図４（ａ），（ｂ）に示すように、キャップ本体部７１と計量容器部７２と注出筒７５とを備えている。本実施形態では、キャップ本体部７１と注出筒７５は一体に形成されており、計量容器部７２は、別部品として構成されキャップ本体部７１に装着されている。計量容器部７２は、後述するように、内容液の視認性の観点から、少なくとも一部が透明ないし半透明の樹脂製とされている。
【００５４】
計量容器部７２の周壁７２ａは、図４（ａ），（ｂ）に示すように上方に向けて僅かに縮径する有頂筒状形状を有しており、上下方向に複数配置され周方向に延びる凹リブ７３が形成されている。本実施形態において、凹リブ７３は目盛として機能し、利用者が収容空間Ｓ内の内容液をいずれかの凹リブ７３の高さ位置に合致する高さまで計量容器部７２に注ぎ入れることによって、内容液を正確に計量することができる。なお、図４（ｂ）に示すように、各凹リブ７３の近傍に、計量体積に対応する文字７４を印刷等の加飾によって設けてもよい。また、成形時に金型の内面に設けた微細な凹凸によって文字７４を形成してもよい。
【００５５】
計量容器部７２の周壁７２ａは、図４（ａ），（ｂ）及び図５に示すように、内部に収容された内容液を視認可能なビジブル領域７２ｓと、ビジブル領域７２ｓよりも可視光の光透過率が低い低透過領域７２ｈとを有している。本実施形態では、ビジブル領域７２ｓは、透明樹脂層のみからなり可視光に対する高い光透過率を有している。ビジブル領域７２ｓに用いる材料としては、例えば低密度ポリエチレン（ＬＤＰＥ）等を用いることができる。一方、低透過領域７２ｈは、図５に示す例では、ビジブル領域７２ｓと同一の樹脂により構成される内層７２ｈ０と、低透過領域７２ｈの可視光の光透過率をビジブル領域７２ｓの光透過率よりも低くするための外層７２ｈ１とを有している。図示の例では、ビジブル領域７２ｓと低透過領域７２ｈとは、周方向位置によって区分されており、図４（ａ），（ｂ）及び図５に示すように、それぞれ複数のビジブル領域７２ｓ及び低透過領域７２ｈが周方向に等間隔で交互に設けられている。また、低透過領域７２ｈの外層７２ｈ１の外周面は、ビジブル領域７２ｓの外周面と揃うように構成されている。すなわち、ビジブル領域７２ｓと低透過領域７２ｈとは同一厚みを有するように構成されているが、この態様には限定されず、両者の厚みが異なるように構成してもよい。
【００５６】
なお、外層７２ｈ１に用いる材料としては、例えば高密度ポリエチレン樹脂（ＨＤＰＥ）等に着色剤を添加して可視光に対する光透過率を低減させた材料を用いることができる。
【００５７】
上述のように、本実施形態では、ビジブル領域７２ｓに透明、且つ軟材質である低密度ポリエチレン（ＬＤＰＥ）を用いると共に、低透過領域７２ｈの外層７２ｈ１に着色剤を添加した高密度ポリエチレン樹脂（ＨＤＰＥ）を用いるように構成したので、ビジブル領域７２ｓを通して計量容器部７２内部の内容液を視認して計量することができるのに加えて、低透過領域７２ｈに着色等によって加飾することができる。また、計量容器部７２の周壁７２ａを把持して計量キャップ７０を取り外す際に、軟材質であり縦弾性係数が小さいビジブル領域７２ｓの低密度ポリエチレン（ＬＤＰＥ）が撓んでグリップ性を向上させることができる。なお、低透過領域７２ｈの方がビジブル領域７２ｓよりも縦弾性係数が小さくなるように構成してもよい。
【００５８】
本実施形態の計量キャップ７０に用いる計量容器部７２は、内層及び外層を有するパリソンを押出ブロー成形することで形成することができる他、例えば図５におけるビジブル領域７２ｓ及び内層７２ｈ０を一次側の金型内で成形した後、外層７２ｈ１を二次側の金型内で成形する、いわゆる二材成形により形成することができる。また、図５におけるビジブル領域７２ｓ及び内層７２ｈ０をインサート材としてインサート成形により形成することもできる。インサート成形による場合には、外層７２ｈ１をインサート材としてもよい。更に、二材成形又はインサート成形により形成されたプリフォームを２軸延伸ブロー成形することによって、計量容器部７２を形成してもよい。この場合、キャップ本体部７１及び注出筒７５を一体に設けることもできる。
【００５９】
以上のように、本実施形態では、ビジブル領域７２ｓと低透過領域７２ｈとは、縦弾性係数が異なるように構成した。これによって、計量容器部７２の周壁７２ａを把持して計量キャップ７０を取り外す際に、軟材質であり縦弾性係数が小さい方の領域が撓んでグリップ性を向上させることができる。
【００６０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００６１】
１    計量容器
１０    容器本体
１１    胴部
１３    口部
１３ａ  雄ねじ
１３ｂ  係止リブ
２０    ノズルキャップ
２１    装着キャップ部
２３    外周壁
２３ａ  雌ねじ
２３ｂ  凹溝
２５ａ  雌ねじ部
２６    天壁
２６ａ  シール壁
２７    隔壁
２７ａ  側壁
２７ｂ  底壁
２７ｃ  ノズル孔
２８    ノズル
２８ａ  スリット
３０    計量キャップ
３１    キャップ本体部
３１ａ  装着筒
３１ｃ  雄ねじ部
３１ｅ  上壁
３１ｆ  嵌合筒
３１ｇ  シール壁
３１ｈ  係止リブ
３２    計量容器部
３２ａ  周壁
３２ｂ  底壁
３２ｃ  肩部
３２ｄ  嵌合部
３２ｅ  凹溝
３２ｈ  低透過領域
３２ｈ０  内層
３２ｈ１  第１外層（低透過材料）
３２ｈ２  第２外層（低透過材料）
３２ｓ  ビジブル領域
３３    凹リブ
３３ａ  間欠部
３４    文字
３５    注出筒
３５ａ  注ぎ部
７０    計量キャップ
７１    キャップ本体部
７２    計量容器部
７２ａ  周壁
７２ｂ  底壁
７２ｃ  肩部
７２ｈ  低透過領域
７２ｈ０  内層
７２ｈ１  外層（低透過材料）
７２ｓ  ビジブル領域  
７３    凹リブ
７４    文字
７５    注出筒
７５ａ  注ぎ部
Ｓ      収容空間
【図１】
2019100830.tif 000003
【図２】
2019100830.tif 000004
【図３】
2019100830.tif 000005
【図４】
2019100830.tif 000006
【図５】
2019100830.tif 000007